(57)【特許請求の範囲】
【請求項１】
下ケース及び該下ケースの上部に重ね合わせる上ケースにより、磁気テープを巻装した単一のリールを回転可能に収容するカートリッジケースを備え、該カートリッジケースに前記磁気テープを引き出すための開口部が設けられると共に、前記開口部の近傍における上ケース及び下ケースの内面には、上下ケースを締結するための固定用ボスがそれぞれ突設され、さらに下ケース内面にはカートリッジケース底面に位置決め穴を形成する位置決めボスが突設された磁気テープカートリッジにおいて、
前記固定用ボスと位置決めボスとの間の空隙を覆う補助リブを、前記上ケース及び下ケースの固定用ボスに連接したことを特徴とする磁気テープカートリッジ。
【請求項２】
下ケース及び該下ケースの上部に重ね合わせる上ケースにより、磁気テープを巻装した単一のリールを回転可能に収容するカートリッジケースを備え、該カートリッジケースに前記磁気テープを引き出すための開口部が設けられると共に、前記開口部の近傍における上ケース及び下ケースの内面には、上下ケースを締結するための固定用ボスがそれぞれ突設され、さらに下ケース内面にはカートリッジケース底面に位置決め穴を形成する位置決めボスが突設された磁気テープカートリッジにおいて、
前記固定用ボスと位置決めボスとの間の空隙を覆う補助リブを、前記リールの外周に沿って上ケース及び下ケースに設けられた内壁の端部に延設したことを特徴とする磁気テープカートリッジ。
【請求項３】
前記下ケースの位置決めボスに対応する位置の前記上ケースの内面に、前記位置決めボスの先端に向けて突出する補助ボスを設けたことを特徴とする請求項１又は２に記載の磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容し、このカートリッジケースの一部に磁気テープを引き出すための開口部を設けてなる磁気テープカートリッジにおいて、上記磁気テープの誤装着防止構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
前記カートリッジケースは、下ケースと上ケースとを重ね合わせて締結してなり、上下ケースを重ね合わせる前に一方のケース内に磁気テープを巻装したリールを挿入し組み付けるものである。また、上記カートリッジケースには、前記磁気テープを引き出すための開口部が設けられると共に、この開口部の近傍における上ケース及び下ケースの内面には、上下ケースを締結するための固定用ボスがそれぞれ柱状に突設され、さらに下ケース内面にはカートリッジケース底面に位置決め穴を形成する位置決めボスが突設されている。
【０００４】
【発明が解決しようとする課題】
しかして、上記のようなカートリッジケースでは、その組み立てにおいて磁気テープを巻装したリールを挿入して下ケースと上ケースとを締結する際に、カートリッジケースの開口部から外部に導出される磁気テープが、正規の経路でないケース内の固定用ボスと位置決めボスとの間を通って組み立てられたり、上記位置決めボスに引っ掛かった状態に組み付けられたりする恐れがある。
【０００５】
図８に一例のカートリッジケース１の上ケース２及び下ケース３の内面図を示す。下ケース３には磁気テープ５を巻装したリール４が載置されている。
【０００６】
上記上ケース２及び下ケース３は、略矩形状の上壁２ａ及び下壁３ａの周囲に外壁２ｂ，３ｂが立設されると共に、リール４の外周に沿って部分円弧状の内壁２ｃ，３ｃが形成されている。また、カートリッジケース１の一角部側面には、磁気テープ５を引き出すための開口部７が形成されている。
【０００７】
上ケース２と下ケース３とは上記内壁２ｃ，３ｃと外壁２ｂ，３ｂとの間に立設された４つの上下固定用ボス１１，１２に、底面側からビスを締め付けることで固着される。また、ドライブ装置においてカートリッジケース１を所定位置に位置決めするための位置決め穴３ｄが下ケース３の底面に設けられ、この位置決め穴３ｄの形成に伴って、下ケース３の内面には下壁３ａから上方に突出する位置決めボス１３が設けられている。
【０００８】
図９には開口部７近傍における図８のＸ−Ｘ断面構造を示し、この開口部７近傍の下ケース３には、下壁３ａから固定用ボス１２と位置決めボス１３とが接近して配設され、この下固定用ボス１２の先端には、上ケース２の上壁２ａから突出する上固定用ボス１１の先端が突き当たり、内部のネジ孔１１ａ，１２ａに図示しないビスを挿通して締結される。一方、位置決めボス１３は、下ケース３にのみ設けられ、その上端は固定用ボス１２より低い高さである。
【０００９】
そして、前記リール４に巻回された磁気テープ５の先端は、カートリッジケース１の開口部７から外部に導出されるが、その正規の経路は鎖線で示すようにリール４の接線方向から開口部７に向けて位置決めボス１３の外側を通るものであるが、実線で示すように、固定用ボス１１，１２と位置決めボス１３との間を通って開口部７に抜けるような正規の経路でない状態に組み立てられることが起こり得る。また、横又は斜めになった磁気テープ５の縁部が前記位置決めボス１３の頭部に引っ掛かった状態で組み付けられることもあり得る。
【００１０】
上記のように正規の経路以外を通って磁気テープが繰り出されたり、巻き戻されたりすると、磁気テープの先端に固着した引き出し部材がカートリッジケースの所定位置に格納できなかったり、磁気テープに過剰な負荷が作用してテープ伸び、傷付き等の各種弊害が発生することになり、信頼性の低下を招く可能性がある。
【００１１】
本発明は上記点に鑑みなされたもので、磁気テープを巻装した単一リールをカートリッジケースに組み込む際に、磁気テープがケース内の固定用ボスと位置決めボスとの間を通って組み立てられることを防止するようにした磁気テープカートリッジを提供せんとするものである。
【００１２】
【課題を解決するための手段】
上記課題を解決した本発明の磁気テープカートリッジは、下ケース及び該下ケースの上部に重ね合わせる上ケースにより、磁気テープを巻装した単一のリールを回転可能に収容するカートリッジケースを備え、該カートリッジケースに前記磁気テープを引き出すための開口部が設けられると共に、前記開口部の近傍における上ケース及び下ケースの内面には、上下ケースを締結するための固定用ボスがそれぞれ突設され、さらに下ケース内面にはカートリッジケース底面に位置決め穴を形成する位置決めボスが突設され、前記固定用ボスと位置決めボスとの間の空隙を覆う補助リブを、前記上ケース及び下ケースの固定用ボスに連接したことを特徴とするものである。
【００１３】
また本発明の他の磁気テープカートリッジは、固定用ボスと位置決めボスとの間の空隙を覆う補助リブを、前記リールの外周に沿って上ケース及び下ケースに設けられた内壁の端部に延設したことを特徴とするものである。
【００１４】
また、上記のような補助リブの形成に加えて、下ケースの位置決めボスに対応する位置の上ケースの内面に、位置決めボスの先端に向けて突出する補助ボスを設けるようにしてもよい。
【００１５】
【発明の効果】
上記のような本発明によれば、上下ケースを締結するための固定用ボス及び位置決め穴を形成する位置決めボスが突設されたカートリッジケースにおいて、固定用ボスと位置決めボスとの間の空隙を覆う補助リブを、前記上ケース及び下ケースの固定用ボスに連接するか、リールの外周に沿う内壁の端部に延設したことにより、磁気テープを巻装したリールを挿入して下ケースと上ケースとを締結する際に、カートリッジケースの開口部から外部に導出される磁気テープが、正規の経路でないケース内の固定用ボスと位置決めボスとの間を通って組み立てられたり、上記位置決めボスに引っ掛かった状態に組み付けられたりすることが防止でき、磁気テープの先端に固着した引き出し部材をカートリッジケースの所定位置に格納でき、磁気テープのテープ伸び、傷付き等が発生することなく信頼性を確保することができる。
【００１６】
また、上記補助リブに加えて、下ケースの位置決めボスに対応して上ケースに補助ボスを設けたものでは、さらに、磁気テープが位置決めボスに引っ掛かるのを防止できる。
【００１７】
【発明の実施の形態】
以下、図面に示す実施の形態に基づいて本発明を詳細に説明する。図１は第１の実施の形態の磁気テープカートリッジの上ケース及び下ケースの開口部近傍の要部内面図、図２は組み立て状態の開口部の側面図である。
【００１８】
磁気テープカートリッジは、上ケース２と下ケース３とがビス等により締結されてなるカートリッジケース１内に、磁気テープ５を巻装した単一のリール４を回動可能に収容してなる。図１の状態は、下ケース３にリール４が載置された組み付け前の状態である。
【００１９】
前記上ケース２及び下ケース３は、略矩形状の上壁２ａ及び下壁３ａの周囲に外壁２ｂ，３ｂが立設されると共に、リール４の外周に沿って部分円弧状の内壁２ｃ，３ｃが形成されている。また、カートリッジケース１の一角部側面には、磁気テープ５を引き出すための開口部７が形成されている。
【００２０】
上ケース２及び下ケース３には上記内壁２ｃ，３ｃと外壁２ｂ，３ｂとの間に上下固定用ボス１１，１２（図８に示すように４ヶ所）が配設され、上下ケース２，３を重ね合わせた状態で両者の固定用ボス１１，１２の先端が突き当たり、内部のネジ孔１１ａ，１２ａに図示しないビスを下ケース３の底面側から挿通して締結される。また、下ケース３の底面の所定位置に位置決め穴３ｄを設けるために、この下ケース３の内面には下壁３ａから上方に突出する位置決めボス１３が、前記開口部７近傍における固定用ボス１２に近接して設けられている。この位置決めボス１３は、下ケース３にのみ設けられ、その上端は固定用ボス１２より低い高さとなっている。
【００２１】
そして、前記上ケース２及び下ケース３の開口部７近傍の固定用ボス１１，１２には、該固定用ボス１１，１２の側部から開口部７と位置決めボス１３の間に且つ開口部７と略平行に、前記固定用ボス１１，１２と位置決めボス１３との間の空隙を覆う補助リブ１５，１６が連接されている。この補助リブ１５，１６は固定用ボス１１，１２と略同一の高さに設けられ、上下ケース２，３を重ね合わせたときに上下の補助リブ１５，１６が上下方向に連続するようになっている。
【００２２】
本実施の形態によれば、カートリッジケース１の組み立て時に、前記リール４に巻回された磁気テープ５の先端を開口部７から外部に導出するように組み付ける際に、この磁気テープ５が固定用ボス１１，１２と位置決めボス１３との間に挿入されようとしても、この磁気テープ５の側縁が前記補助リブ１５，１６に当接して固定用ボス１１，１２と位置決めボス１３の間への挿入が阻止され、位置決めボス１３より外側の正規の経路で組み付けられる。
【００２３】
次に、図３及び図４は、第２の実施の形態のカートリッジケース１の上ケース２及び下ケース３の開口部近傍の要部内面図及び組み立て状態の開口部の側面図である。
【００２４】
上ケース２及び下ケース３の基本的構造は第１の実施の形態と同様であり、下ケース３における位置決めボス１３が少しリール４の中心位置から離れる方向に設置されている。
【００２５】
そして、前記上ケース２及び下ケース３の開口部７近傍における前記リール４の外周に沿う円弧状の内壁２ｃ，３ｃの端部には、前記位置決めボス１３の内周側で前記内壁２ｃ，３ｃの端部を円弧状（直線状でもよい）に延長するように、前記固定用ボス１１，１２と位置決めボス１３との間の空隙を覆う補助リブ１７，１８が連接されている。この補助リブ１７，１８は固定用ボス１１，１２と略同一の高さに設けられ、上下ケース２，３を重ね合わせたときに上下の補助リブ１７，１８が上下方向に連続するようになっている。
【００２６】
さらに、上ケース２の内面には、前記下ケース３の位置決めボス１３に対応する位置に、該位置決めボス１３の先端に向けて突出する補助ボス１９が上壁２ａから突設されている。この補助ボス１９は、前記位置決めボス１３の径より小さな径に設けられると共に、その先端が前記位置決めボス１３の先端に突き当たるような高さに形成されている。
【００２７】
本実施の形態によれば、カートリッジケース１の組み立て時に、前記リール４に巻回された磁気テープ５が固定用ボス１１，１２と位置決めボス１３との間に挿入されようとしても、この磁気テープ５の側縁が前記補助リブ１７，１８に当接して固定用ボス１１，１２と位置決めボス１３の間への挿入が阻止される。さらに、正規の経路に組み付けられた磁気テープ５が、横又は斜めになってその縁部が前記位置決めボス１３の頭部に引っ掛かっることが補助ボス１９によって阻止される。
【００２８】
図５は上記第２の実施の形態の他の態様を示す位置決めボス部１３の断面図であり、この位置決めボス１３の先端に凹部１３ａが形成され、この凹部１３ａ内に補助ボス１９の先端部が挿入される嵌合構造に設けられている。
【００２９】
上記構造においては、位置決めボス１３の先端部と補助ボス１９の先端部との間に隙間が形成されず、両者の間に磁気テープ５が挟まることが防止される。
【００３０】
次に、図６及び図７は、第３の実施の形態のカートリッジケース１の上ケース２及び下ケース３の開口部近傍の要部内面図及び組み立て状態の開口部の側面図である。
【００３１】
上ケース２及び下ケース３の基本的構造は第２の実施の形態と同様であり、リール４の外周に沿う円弧状の内壁２ｃ，３ｃの端部には、固定用ボス１１，１２と位置決めボス１３との間の空隙を覆う補助リブ１７，１８が同様に連接されている。
【００３２】
そして、上ケース２の内面には、前記下ケース３の位置決めボス１３に対応する位置に、該位置決めボス１３の先端に向けて突出する断面略半円筒状の補助ボス２０が上壁２ａから突設されている。この補助ボス２０は、前記位置決めボス１３の径と同等に設けられ、補助リブ１７側の部分は除去されて磁気テープ５の正規の経路側の部分に向けて形成されている。また、その先端が前記位置決めボス１３の先端に突き当たるような高さに形成され、突き当たった状態では両者の当接部に段差ができないようにして、走行する磁気テープ５への影響を低減している。
【００３３】
なお、第１の実施の形態においても、その上ケース２の内面に下ケース３の位置決めボス１３の頭部に向けて突出する補助ボス１９，２０を設けるようにしてもよい。
【図面の簡単な説明】
【図１】本発明の第１の実施の形態による磁気テープカートリッジの上ケース及び下ケースの開口部近傍の要部内面図
【図２】図１の磁気テープカートリッジの組み立て状態における開口部の側面図
【図３】本発明の第２の実施の形態による磁気テープカートリッジの上ケース及び下ケースの開口部近傍の要部内面図
【図４】図３の磁気テープカートリッジの組み立て状態における開口部の側面図
【図５】図４における他の態様を示す位置決めボス部分の断面図
【図６】本発明の第３の実施の形態による磁気テープカートリッジの上ケース及び下ケースの開口部近傍の要部内面図
【図７】図６の磁気テープカートリッジの組み立て状態における開口部の側面図
【図８】従来の磁気テープカートリッジを示す上ケース及び下ケースの内面図
【図９】組み立て状態における図８のＸ−Ｘ断面図
【符号の説明】
１    カートリッジケース
２    上ケース
2b,3b     外壁
2c,3c     内壁
3d    位置決め穴
３    下ケース
４    リール
５    磁気テープ
７    開口部
11,12     固定用ボス
13    位置決めボス
15〜18    補助リブ
19,20     補助ボス
【図１】
0003853523.tif 000002
【図２】
0003853523.tif 000003
【図３】
0003853523.tif 000004
【図４】
0003853523.tif 000005
【図５】
0003853523.tif 000006
【図６】
0003853523.tif 000007
【図７】
0003853523.tif 000008
【図８】
0003853523.tif 000009
【図９】
0003853523.tif 000010